(57)【要約】      （修正有）【課題】データ保管システムを提供する。【解決手段】データ保管システム１であって，オンラインに接続可能な磁気テープを有する複数の記憶部３と，複数の記憶部３のそれぞれがオンラインに接続されるか否かを制御するアーカイブサーバ５と，アーカイブサーバ５と第１の専用回線で接続され，複数の記憶部３に記憶されたデータを管理する，管理台帳サーバ７と，記憶部３に記憶される情報を，第２の専用回線を介して受け取るデータ取出サーバ９とを有する。第１のデータを取出す旨のデータ取出要求が，管理台帳サーバ７に入力された場合に，アーカイブサーバ５が，複数の記憶部３のうちの第１のデータを記憶する特定の記憶部３をデータ取出サーバ９とオンラインに接続し，特定の記憶部３から，第１のデータを読み出し，第２の専用回線を介して，第１のデータをデータ取出サーバ９へ送信する。【選択図】図１
2020154643.tif 000002
【特許請求の範囲】
【請求項１】
データ保管システム（１）であって，
オンラインに接続可能な磁気テープを有する複数の記憶部（３）と，
前記複数の記憶部（３）のそれぞれがオンラインに接続されるか否かを制御するアーカイブサーバ（５）と，
前記アーカイブサーバ（５）と第１の専用回線で接続され，前記複数の記憶部（３）に記憶されたデータを管理する，管理台帳サーバ（７）と，
前記記憶部（３）に記憶される情報を，第２の専用回線を介して受け取るデータ取出サーバ（９）と
を有し，
第１のデータを取出す旨のデータ取出要求が，管理台帳サーバ（７）に入力された場合に，アーカイブサーバ（５）が，複数の記憶部（３）のうちの第１のデータを記憶する特定の記憶部（３）をデータ取出サーバ（９）とオンラインに接続し，特定の記憶部３から，第１のデータを読み出し，第２の専用回線を介して，第１のデータをデータ取出サーバ９へ送信する，システム。
【請求項２】
請求項１に記載のデータ保管システム（１）であって，
前記アーカイブサーバ（５）は，第１のデータを取出す旨のデータ取出要求が，管理台帳サーバ（７）に入力された場合に，アーカイブサーバ（５）が，複数の記憶部（３）のうちの第１のデータを記憶する特定の記憶部（３）を含む記憶装置の電源をＯＮにする，システム。
【発明の詳細な説明】
【技術分野】
【０００１】
この発明はデータ長期保全システムに関する。
【背景技術】
【０００２】
特開２０１０−２４４２７０号公報には，所定の権限でのみアクセス可能なデータを，所定の権限を有さない利用者によって収集及び更新させるデータ管理システムが記載されている。
【先行技術文献】
【特許文献】
【０００３】
【特許文献１】特開２０１０−２４４２７０号公報
【発明の概要】
【発明が解決しようとする課題】
【０００４】
高いセキュリティをもって，長期間大量なデータを保管できるデータ長期保全システムが望まれる。
【課題を解決するための手段】
【０００５】
この発明は，基本的には，通常時には，磁気テープなどに情報を記憶させてオフライン管理しておき，ユーザのクライアントコンピュータから取出要求があった場合に，専用回線を通じて，データファイルを特定のサーバに送信し，その特定のサーバからユーザのクライアントコンピュータへ転送することで，高いセキュリティをもって，長期間大量なデータを保管できるデータ長期保全システムを達成できるという知見に基づく。
【０００６】
この明細書に記載されるある態様は，データ保管システム１に関する。
このシステムは，オンラインに接続可能な磁気テープを有する複数の記憶部３と，
複数の記憶部３のそれぞれがオンラインに接続されるか否かを制御するアーカイブサーバ５と，
アーカイブサーバ５と第１の専用回線で接続され，複数の記憶部３に記憶されたデータを管理する，管理台帳サーバ７と，
記憶部３に記憶される情報を，第２の専用回線を介して受け取るデータ取出サーバ９と
を有する。
【０００７】
そして，第１のデータを取出す旨のデータ取出要求が，管理台帳サーバ７に入力された場合に，アーカイブサーバ５が，複数の記憶部３のうちの第１のデータを記憶する特定の記憶部３をデータ取出サーバ９とオンラインに接続し，特定の記憶部３から，第１のデータを読み出し，第２の専用回線を介して，第１のデータをデータ取出サーバ９へ送信する。
【０００８】
上記のシステムの好ましい例は，アーカイブサーバ５は，第１のデータを取出す旨のデータ取出要求が，管理台帳サーバ７に入力された場合に，アーカイブサーバ５が，複数の記憶部３のうちの第１のデータを記憶する特定の記憶部３を含む記憶装置の電源をＯＮにするものである。
【発明の効果】
【０００９】
上記のシステムは，高いセキュリティをもって，長期間大量なデータを保管できるデータ長期保全システムを達成できる。
【図面の簡単な説明】
【００１０】
【図１】図１は，本発明のシステムの構成例を示すブロック図である。
【図２】図２は，システムの基本構成を説明するための概念図である。
【図３】図３は，複数のアーカイブセンターに分離した態様を説明するための概念図である。
【図４】図４は，別地保管アーカイブを説明するための概念図である。
【発明を実施するための形態】
【００１１】
以下，図面を用いて本発明を実施するための形態について説明する。本発明は，以下に説明する形態に限定されるものではなく，以下の形態から当業者が自明な範囲で適宜修正したものも含む。
【００１２】
図１は，本発明のシステムの構成例を示すブロック図である。この明細書に記載されるある態様は，データ保管システム１に関する。データ保管システム１は，電子的なデータを保管し，ユーザ（のクライアント）からの要求にお維持て，保管しているデータ（又はデータファイル）を，出力するためのシステムである。このシステムは，基本的には，コンピュータ，コンピュータを含む端末を有している。コンピュータはサーバの形であってもよい。コンピュータは，入出力部，演算部，制御部及び記憶部を有しており，各要素はバスなどにより情報の授受を行うことができるようにされている。記憶部は，例えば，制御プログラムを記憶していてもよい。また，制御プログラムの処理やアルゴリズムは，ハードウェアにより実装されてもよい。所定の入力があった場合，例えば，制御部は制御プログラムを読み出し，適宜記憶部から必要な情報を読み出し，演算部で所定の演算を行わせ，適宜記憶部に演算結果を記憶し，入出力部から演算結果を出力する。このようにして，コンピュータのハードウェアとソフトウェアが協働することにより，各種の演算や処理を行うことができる。
【００１３】
記憶部
このシステム１は，オンラインに接続可能な磁気テープを有する複数の記憶部３を有する。アーカイブセンターにおいて，ユーザが保存したいデータは，磁気テープ（ＬＴＯ）に変換されて保管される。ＬＴＯは１２世代まで標準化され，現在8世代（ＬＴＯ８）まで出荷されている。ＬＴＯ８ で圧縮時３０ＴＢ，非圧縮時１２ＴＢの記録容量がある。磁気テープを用いることで，保管単価を下げることができる。ＬＴＯの寿命は３０年以上とされる。例えば，１０年を目安にその時点で出荷されている新しいＬＴＯにコンバートすることで，製品寿命だけでなくアクセス装置の寿命や保守期間までカバーして永年保管を実現できる。ＬＴＯを通信ネットワークとは遮断されたデータセンター内の磁気テープ保管庫に格納することでセキュリティを確保できる。またＷＯＲＭ（上書不可）方式のＬＴＯを使用することで保管データの真正性を確保できる。
【００１４】
アーカイブサーバ
このシステムは，アーカイブサーバ５を有する。アーカイブサーバ５は，複数の記憶部３のそれぞれをオンラインに接続されるか否かを制御するためのサーバである。例えば，記憶部は，通常は電源がＯＦＦとされており，データ取出要求があった場合，管理台帳サーバが，特定のアーカイブサーバに対し，取出要求があったデータファイルを格納している記憶部の電源をＯＮにするように指令を出してもよい。そして，その指令を受け取ったアーカイブサーバは，特定された記憶部の電源をＯＮしてもよい。さらに，管理台帳サーバは，データファイルを送信するデータ取出サーバに関する情報を，アーカイブサーバに送信してもよい。すると，アーカイブサーバは，特定された記憶部と，その特定のデータ取出サーバとをＶＰＮなどの専用回線で接続するようにしてもよい。このようにして，特定の記憶部（記憶装置）が起動され，特定のサーバと専用回線で接続されることとなる。また，特定の記憶部が，特定のデータファイルを送信した後は，その記憶部と特定のデータ取出サーバとの接続を切るほか，その記憶部の電源をＯＦＦにするようにしてもよい。
【００１５】
このシステムは，管理台帳サーバ７を有する。管理台帳サーバ７は，アーカイブサーバ５と第１の専用回線で接続され，複数の記憶部３に記憶されたデータを管理するためのサーバである。新たな情報を記憶部３に記憶する場合，アーカイブサーバ５がユーザ情報（ユーザＩＤやパスワードなど認証に必要な情報）と，新たなデータに関するデータファイルにアクセスするために必要な情報（アーカイブサーバのＩＤや，記憶部のＩＤ，及び記憶部内のファイルＩＤなど）を，専用回線を通じて，管理台帳サーバ７に送信する。管理台帳サーバ７は，受け取った情報を用いて，管理情報を更新する。このように，データファイルが，そのフォルダー情報を含めて管理台帳サーバのＷｅｂ管理台帳に記載される。このためユーザは，オンラインでＷｅｂ管理台帳にアクセスして、取出たいデータを選択し，取出し要求することで，必要なデータファイルを取出すことができることとなる。
【００１６】
このシステムは，データ取出サーバ９を有する。データ取出サーバ９は，記憶部３に記憶される情報を，第２の専用回線を介して受け取るためのサーバである。記憶部３と専用回線（例えばＶＰＮ）を介して接続されるデータ取出サーバ９にデータファイルが一度記憶され，データ取出サーバ９からクライアント１１に必要なデータファイルが送信されるので，データのセキュリティを確保できる。
【００１７】
上記のシステムは，第１のデータを取出す旨のデータ取出要求が，管理台帳サーバ７に入力された場合に，アーカイブサーバ５が，複数の記憶部３のうちの第１のデータを記憶する特定の記憶部３をデータ取出サーバ９とオンラインに接続し，特定の記憶部３から，第１のデータを読み出し，第２の専用回線を介して，第１のデータをデータ取出サーバ９へ送信する。例えば，ユーザがクライアントコンピュータ１１を用いて，データ取出要求をシステム１に入力する。すると，システム１の管理台帳サーバ７が，第１のデータを取出す旨のデータ取出要求を受け取る。なお，システム１は，例えば，ユーザＩＤ，及びそのユーザのパスワードを記憶しているので，ユーザは，任意のクライアントコンピュータや端末を用いて，管理台帳サーバ７にアクセスできるようにしてもよい。そして，管理台帳サーバ７は，例えば，ユーザＩＤと関連して，そのユーザのデータを選択可能な一覧として表示できるようにされている。ユーザが，そのクライアントコンピュータ１１を用いて，入手したいデータを選択すると，第１のデータを取出す旨のデータ取出要求が，管理台帳サーバ７に入力されることとなる。管理台帳サーバ７は，アーカイブサーバ５に，第１のデータを取出す旨のデータ取出要求を伝える。アーカイブサーバ５は，第１のデータを取出す旨のデータ取出要求を解析し，例えば，第１のデータが記憶されている記憶部３の電源をＯＮにするとともに，記憶部３から第１のデータを読み出させて，第２の専用回線を通じて，第１のデータをデータ取出サーバ９へ送信させる。ユーザのクライアントコンピュータ１１は，データ取出サーバ９にアクセスし，第１のデータをダウンロード等することにより入手できる。すると，第１のデータが，データ取出サーバ９から，クライアントコンピュータ１１へ出力されることとなる。
【００１８】
アーカイブサーバ及び記憶部は，アーカイブセンターという物理的な建物内に存在していてもよい。そして，データ取出サーバ９（及び管理台帳サーバ７）は，アーカイブセンターとは別のフロア又は別の建物内に存在することが好ましい。さらに，このシステムは，第１のアーカイブサーバ，第２のアーカイブサーバ・・・第ｎのアーカイブサーバと複数のアーカイブサーバを有してもよい。そして，それぞれのアーカイブサーバは，１又は複数の記憶部３を有していてもよい。例えば，あるデータを複数のアーカイブサーバに保存することで，いくつかのアーカイブサーバが天災などで被害を被った場合にも，データを安全に保管することができることとなる。
【実施例】
【００１９】
以下，実施例を用いて本発明の例を具体的に説明する。本発明は，以下の実施例に限定されるものではなく，当業者が自明の範囲で，適宜修正したものも本発明に含まれる。図２は，システムの基本構成を説明するための概念図である。図３は，複数のアーカイブセンターに分離した態様を説明するための概念図である。図４は，別地保管アーカイブを説明するための概念図である。
【００２０】
データ登録
保存したいデータを外付けＨＤＤなどに格納してアーカイブセンターに届ける。例えば，データ登録要求時、事前にアーカイブセンターが外付けＨＤＤを含むセキュリティ搬送ケースをアーカイブセンターに届ける。アーカイブセンターでは，外付けＨＤＤから磁気テープ（正副２本）を作成し，同時に管理センターの管理台帳サーバ内のＷｅｂ管理台帳を更新する。作成した正副の磁気テープをテープ保管庫に格納する。
【００２１】
このようにして，記憶部や管理台帳サーバが準備及び更新される。
【００２２】
データ取出し要求
ユーザが，自身のＩＤでシステムにログインする。すると，ユーザ自身が保管しているファイル名一覧をＷｅｂ管理台帳で検索・参照できる。ユーザのクライアントコンピュータは，システムに対し，取出たいファイルを指定して取出し要求を送信する。
【００２３】
データ取出し
アーカイブセンターのアーカイブサーバは取出し要求を受け取る。すると，アーカイブセンターでは，取出たいファイルが格納されている磁気ディスクなどの記録媒体の電源をＯＮにするなどして，情報を取出すことができるようにする。なお，アーカイブセンターでは，オペレータが特定のテープを装着するようにしてもよい。アーカイブサーバは要求があったデータファイルを，管理センターのデータ取出しサーバに専用回線を介して転送する。データ取出しサーバは要求があったクライアントにダウンロードの準備ができたことを通知する。すると，ユーザはクライアントからシステムにダウンロード指示を入力し，システムは，ダウンロード指示を受けて，データ取出サーバに一時的に保管されたデータファイルを，クライアントに送信する。このようにしてデータの取出が行われる。
【００２４】
アーカイブセンターの複数分散化（図３）
アーカイブセンターはすく数存在してもよい。そして，ユーザは，データを保全するためのアーカイブセンターを選択できる。例えば，アーカイブセンターCが選択された場合，それ以降，そのユーザのデータはアーカイブセンターCで磁気テープに変換されて保全され、取出し要求があった場合はアーカイブセンターCに取出し要求が発信されるようにすればよい。
【００２５】
別地保管アーカイブ（図４）
ユーザは，データを保全するためのアーカイブセンターを選択できるほか，別地保管センターも選択できる。例えば，ユーザのでーたはアーカイブセンターＣでＬＴＯに変換されて保全され、取出し要求があった場合はアーカイブセンターCに取出し要求が発信される。一方，アーカイブセンターCで正副ＬＴＯが作成される際に、予備テープも作成されアーカイブセンターAに搬送されて保全されてもよい。ユーザから保全データ追加があった場合、アーカイブセンターCの正副ＬＴＯに保全データが追加書きされ，アーカイブセンターＡに存在する予備テープは常に新規ＬＴＯを使用して追加分のみを記録するようにしてもよい。データ取出し要求実施時に、別地保管センターを指定することで予備テープからデータファイルを取出すことができる。
【産業上の利用可能性】
【００２６】
このシステムは，情報管理産業において利用され得る。
【符号の説明】
【００２７】
１  データ保管システム
３  記憶部
５  アーカイブサーバ
７  管理台帳サーバ
９  データ取出サーバ
【図１】
2020154643.tif 000003
【図２】
2020154643.tif 000004
【図３】
2020154643.tif 000005
【図４】
2020154643.tif 000006
【手続補正書】
【提出日】平成31年3月19日(2019.3.19)
【手続補正１】
【補正対象書類名】明細書
【補正対象項目名】００１２
【補正方法】変更
【補正の内容】
【００１２】
図１は，本発明のシステムの構成例を示すブロック図である。この明細書に記載されるある態様は，データ保管システム１に関する。データ保管システム１は，電子的なデータを保管し，ユーザ（のクライアント）からの要求に応じて，保管しているデータ（又はデータファイル）を，出力するためのシステムである。このシステムは，基本的には，コンピュータ，コンピュータを含む端末を有している。コンピュータはサーバの形であってもよい。コンピュータは，入出力部，演算部，制御部及び記憶部を有しており，各要素はバスなどにより情報の授受を行うことができるようにされている。記憶部は，例えば，制御プログラムを記憶していてもよい。また，制御プログラムの処理やアルゴリズムは，ハードウェアにより実装されてもよい。所定の入力があった場合，例えば，制御部は制御プログラムを読み出し，適宜記憶部から必要な情報を読み出し，演算部で所定の演算を行わせ，適宜記憶部に演算結果を記憶し，入出力部から演算結果を出力する。このようにして，コンピュータのハードウェアとソフトウェアが協働することにより，各種の演算や処理を行うことができる。
【手続補正２】
【補正対象書類名】明細書
【補正対象項目名】００２５
【補正方法】変更
【補正の内容】
【００２５】
別地保管アーカイブ（図４）
ユーザは，データを保全するためのアーカイブセンターを選択できるほか，別地保管センターも選択できる。例えば，ユーザのデータはアーカイブセンターＣでＬＴＯに変換されて保全され、取出し要求があった場合はアーカイブセンターCに取出し要求が発信される。一方，アーカイブセンターCで正副ＬＴＯが作成される際に、予備テープも作成されアーカイブセンターAに搬送されて保全されてもよい。ユーザから保全データ追加があった場合、アーカイブセンターCの正副ＬＴＯに保全データが追加書きされ，アーカイブセンターＡに存在する予備テープは常に新規ＬＴＯを使用して追加分のみを記録するようにしてもよい。データ取出し要求実施時に、別地保管センターを指定することで予備テープからデータファイルを取出すことができる。